(57)【要約】【課  題】窓ガラスを開いた状態において、その表面に載設され外部からの風を効果的に室内に吹き入れることのできる防犯効果のある採風窓用サッシを提供する。【解決手段】家の窓枠の外側の一部前面に所定の間隔を空けて位置するよう支持ホルダーにて維持し、開閉できる家の窓の開き窓を覆う大きさにて支持ホルダーと一体に装着された採風窓サッシを形成し、採風窓サッシと窓枠との隙間には風を横、上下サイド方向に通過させる機能を保持させる設置隙間を設け、一定間隔にて設置隙間を固定維持形成させ、家の窓枠上に採風窓用サッシを構成させる。その窓枠上に装着される採風窓用サッシには、前面から吹いてくる風を窓枠の内側に収集し導く為に数枚の前風ガイド板を、側面から吹いてくる風を収集し導く為に数枚の側面ガイド板を右、左に装着させ、各ガイド板隙間を維持し、更に前面からと側面からとの風の流れを混流しないように、分離板にて効果的に分離収集流動構成させ防犯もできる構造とした。【選択図】    図１
2004360433.tif 000002
【特許請求の範囲】
【請求項１】
窓枠の外側の一部前面に所定の間隔を空けた位置にて設置するように前面、側面に枚数のガイド枠を構成する採風窓用サッシを隙間調整保持支持ホルダーにて維持し、開閉できる家の窓の開き窓を覆う大きさに支持ホルダーと一体に装着された採風窓サッシを形成し、家の窓と一定間隔にて設置隙間を固定維持形成させ、家の窓枠上に装着される採風窓用サッシには、前面から吹いてくる風を窓枠の内側に収集し導く為に数枚の前風ガイド板を、側面から吹いてくる風を収集し導く為に数枚の側面ガイド板を右、左に装着させ、各ガイド板隙間を維持し、更に前面からと側面からとの風の流れを混流しないように、分離板にて効果的に分離収集流動させる作用形態にて構成させることを特徴とする採風窓用サッシの構造。
【請求項２】
請求項１における窓枠上に設置される採風窓用サッシにおいて、導風装着する数枚の前風ガイド板、左右側風ガイド板等が各板間の隙間を維持しながら、前面から見る人には奥が見えないように設置構成されることを特徴とする請求項１記載の採風窓用サッシの構造。
【請求項３】
窓枠上に設置される採風窓用サッシに、覆い板上下から吹き込む風を更に内部に導く為に設置する上下風ガイド穴を選択装着させることを特徴とする請求項１記載の採風窓用サッシの構造。
【請求項４】
採風窓サッシと窓枠との隙間に設けた風を左右横、上下サイド方向に通過させる設置隙間を、その土地の風の吹き状況に合わせ、設置隙間を一定間隔にて選択設定し、一定期間又は永久的に設置隙間を全体又は部分的に空いている部分を封鎖させて家の窓枠上に採風窓用サッシの設置隙間を構成させることを特徴とする請求項１、２、３記載の採風窓用サッシの構造。
【請求項５】
採風窓用サッシ並びに支持ホルダー、覆い板、分離板、ガイド板等の材質は鉄、アルミ、軽合金、プラスチック、塩ビ、ガラス、スチール、ベニヤ板等種々の材質にて選択形成され、軽量で部屋を明るくするが透過されない作用をもった、美的観念に満ちた色と材料にて選択構成させたことを特徴とする請求項１、２、３、４記載の採風窓用サッシの構造。
【発明の詳細な説明】
【０００１】
【発明の属する技術分野】
本発明は、主に建物の室内の壁面等の側面に取り付けられた開閉窓に、開けた窓から泥棒が侵入しないように、開いた窓の外側に固定装着し窓の外に吹く風を効果的に室内へ通風させるための採風窓用サッシに関する。
【０００２】
【従来の技術】
従来の採風が可能な換気窓用サッシとして、例えば窓障子を開いた状態において、障子の上部のまわりからの換気は勿論のこと、障子の下部の周りからも良好な換気を行うことができ、かつ障子が室内側または室外側に倒れてこない不安感の無い構造となっている換気窓用サッシが先に提供されている（例えば、特許文献１参照。）。
【０００３】
また、採風窓の上枠および下枠と窓枠とによって室内側にそれぞれ通風孔を形成して、これら通風孔と通風窓が連通してそれぞれの通風路を形成し、更にそれぞれの通風窓には室内側に開くことのできる蓋を取りつけた採風窓が先に提供されている（例えば、特許文献２参照。）。
【０００４】
【特許文献１】
特開２００２−２６６５４９号（第２−５頁、第１図）
【特許文献２】
特開２０００−１６０９５１号（第２−３頁、第１図）
【０００５】
【発明が解決しようとする課題】
しかしながら従来の技術で述べたように、技術文献１は、ただ換気用サッシを窓枠より吊り上げて空気を上部、下部、側面の周りからの換気だけを行わせしめる換気用窓サッシを提供したに過ぎず、また、技術文献２は、窓枠の外側下部に隠し板を垂下形成し、その隠し板から室内側に閉止板を窓枠に起立形成させ、それぞれの閉止板と窓枠と上枠および下枠と窓枠とによって、室内側にそれぞれ通風窓を形成し、これら通風孔と通風窓が連通してそれぞれの通風路を形成し、雨水の侵入のない通風路を形成して雨の日でも通風路を開放することができ、その開閉を任意に行うことのできる採風窓を提供したに過ぎない。
【０００６】
本発明は単に技術文献１が窓のサッシを開き隙間を利用するために、障子を移動させる方式とも異なり、また、技術文献２の窓の一部分に隙間を設置して利用する方式とも異なる。
本発明は美観を損なわなく、しかも前から吹く風を、右から吹く風を、左から吹く風を自在に風通しよく、しかも防犯にも優れ、壁に沿って吹く風も窓を開いたまま２４時間部屋にて利用することの出来る固定型採風窓用サッシを家の窓に装着できることを目的とするものである。
【０００７】
【課題を解決するための手段】
本発明は上記目的を達成するため、家の窓の窓枠１の上下面に上枠４ａおよび下枠４ｂと組合せ装着した隙間調整保持ホルダー６ａ，６ｂに合わせて設定された支持ホルダー５ａ，５ｂを固着させ、上枠４ａおよび下枠４ｂにて装着された採風窓サッシ３を維持し、窓枠１との間に間隔を空け、風をサイド方向に通過させる機能をも維持させる設置隙間１３を設け、採風窓サッシ３の板との隙間を一定間隔に固定維持させる。
【０００８】
また、上枠４ａおよび下枠４ｂにて固着された採風窓サッシ３は前面から吹いてくる風を導く為には前風ガイド９ａ，９ｂ，９ｃを、側面から吹いてくる風を導く為には側面ガイドを、右には１０ａ，１０ｂ，１０ｃを、左には１１ａ，１１ｂ，１１ｃを装着させ、前面と側面の風の流れを混吹しないように、分離板８ａ，８ｂにて効果的に流動させる作用形態に構成させる手段を構じた。
【０００９】
採風窓サッシ３の作用としては、窓の外から窓の内側、即ち、室内が見えない形態を維持し、しかも換気窓の作用を維持しながらプライバシイの保護がはかれ、風呂場であっても窓が開けられる手段を講じた。
【００１０】
【発明の実施の形態】
以下、本発明の実施の形態を図１〜図５に基づいて説明する。
【００１１】
図１において、１は家の窓枠で通常同じ形態にて上下に壁１４に設定される場合が一般である。
本発明の採風窓サッシ３は窓枠１よりも大きく設定され、図５に示すように本発明の採風窓サッシ３は開閉駆動される内側の開き窓２よりも拡大した状態に形成され設置される。
本発明の採風窓サッシ３の設置形態は開閉窓の片側の開く面を対象とし、片側固着装定するのを原則とするが、図５に示すように開閉窓全体を対象に、採風窓サッシ３を左右移動可能にして選択装着できる形態に構築することもでき、いずれの形態も実施可能である。
【００１２】
但し、本発明の主旨は図１のごとく採風窓サッシ３は開かれないプライバシー保護採風窓であることを原則とし、図５のごとく左右移動可能にして装着される形態に構築される場合には、採風窓サッシ３を固定して防犯に対応した機能にて装着することが重要である。
【００１３】
図１において開き窓２と固定された採風窓サッシ３が対応して装着された構造となっている場合を説明する。
【００１４】
図２において採風窓サッシ３の上には覆い板７ａ、下には７ｂの板が設定され、板７ａ、７ｂと一体に平面図（ａ）に示す分離板８ａ、８ｂにて縦に風を分割するために配分されたイ、ロ、ハ通風形態に、前風ガイド板９ａ，９ｂ，９ｃを通過位置イに、側風ガイド板（右）１０ａ，１０ｂ，１０ｃをロに、側風ガイド板（左）１１ａ，１１ｂ，１１ｃをハに通風的に溶装着することにより採風窓サッシでは外からは内が見られない形態に通風機能が一体に形成される。一般に通風透過効率は４０〜７０％の範囲内にて形成される。
【００１５】
上下覆い板７ａ、７ｂの上には上枠アングル４ａ、４ｂと隙間調整保持ホルダー６ａ、６ｂとが組み合わされ溶接され、採風窓サッシ３と一体に形成される。
【００１６】
図３（Ｃ）の採風窓サッシ３の側面図において窓枠１と本発明の採風窓サッシ３の背面には開き窓２との間に約２０ミリ程度の設置隙間１３が設けられ、開き窓２が閉じられている場合、前風ガイド板９、側風ガイド板１０、１１、上下風ガイド１２等からの入る風を横に逃す作用を施す。
一般に、開き窓２が開いている場合、本発明の採風窓サッシ３の収風力が上記サイドの設置空間１３を通過する風力よりも大きく、二つの風が巧みに競合する働きを取得することができる。
【００１７】
覆い板７ａ，７ｂには上下風ガイドが上位置１２ａ−１、１２ｂ−１、１２ｃ−１および下位置１２ａ−２、１２ｂ−２、１２ｃ−２に設置され、イ、ロ、ハのガイドから吸引された風と巧みに競合する働きをすることは勿論だが、上下風ガイド１２が選択され上の覆い板７ａだけに設置して、上からの吹き風だけを吸引させ前面ガイド９との二つの風が巧みに競合させる機能も選択できる。
【００１８】
勿論、設置する選択形態を設置隙間１３無しに、採風窓サッシ３を壁１４に密着させ、覆い板７ａ，７ｂに上下風ガイド１２だけ設定して上下からの吹き風だけを吸引させ前面ガイド９との二つの風が巧みに競合させる機能も選択できる。
【００１９】
一般に、覆い板７ａ，７ｂに上下風ガイド１２が無く、壁１４と設置隙間１３を設けた形式にも選択できることは勿論である。
【００２０】
採風窓サッシ３の大きさは対応する窓枠１の大きさによって確保されるが、一般的には図２に示す（ａ）図形において採風窓サッシ３の幅は３８０ミリ位い、中に装着する風ガイド板９、１０、１１等の板厚は鉄板では１．６〜２．３ミリ、アルミ板の場合には約３ミリ程度の板厚材料を使用し立体的に溶接構成させる。
【００２１】
また、図２に示す（ｂ）図形において採風窓サッシ３の横幅は１０４０ミリ、縦幅は１０３０ミリ程度の大きさに構成させ、構成させる板厚は中に装着する風ガイド板と厚さがほぼ同じであるが、選択される材質により板厚が違ってくることは勿論である。
従って、上部、下部に構成される上枠４ａ，４ｂ、覆い板７ａ，７ｂとを溶着させ、強度を維持させる。
【００２２】
採風窓サッシ３並びに支持ホルダー４ａ，４ｂ、保持ホルダー５ａ，５ｂ、覆い板７ａ，７ｂ、分離板８ａ，８ｂ、ガイド板９、１０、１１、等の材質は鉄、プラスチック、塩ビ、ガラス、スチール、時には木、ベニヤ板等種々の材質にて形成され、軽量で部屋を明るくするが透過されない作用をもった美的観念に満ちた構成となっている。アルミ、軽合金で作製されると、より一層の防犯対策となる。
【００２３】
【発明の効果】
以上、隙間１３を形成し、窓枠の外側に採風窓サッシ３を固定装着することにより、それぞれの分離板にて分離設定された前風ガイドとか、右の側風ガイドとか左の側風ガイド等によって、現在の建物の部屋にて最近の隣家同士の隙間の取れない環境から十分な通風路を確保することができ、しかも雨水とか泥棒の侵入のできない通風路を形成させ、外部から内部を覗き見もさせない、窓を開けるだけで、あらゆる方向に吹いている自然の風を、確実に取り入れられ、外部の風を効果的に室内に導入する機能を取得できた。しかも、かかる機能を活用することにより冷房機を使用しない経済的な健康的な環境効果を獲得することができる。
【００２４】
部屋の環境に応じて種々の材料のホルダーを選択し自由に装飾できる美的効果がある。即ち、本発明の採風窓サッシが、鉄、軽合金、塩ビ、アルミ、プラスチック、ガラス、スチール等色々な材料を選んで装飾することができる。
【００２５】
今日の生活構成では、冷暖房機を家に設置する風習が一般的となり、身体にもよい健康的自然の環境が経験できない。風が少しでも流動する地域では本発明の採風窓サッシを取りつけ風を誘導させることにより、自然の天然風を生活に体験することができ、ひいては身体の健康をも長く維持することができる。
【００２６】
既設の窓に簡単に取付けが可能なので、出窓よりも低コストで取付けられる。
【００２７】
不要時には簡単に分解して収納でき、取り付ける場所も、時により、好みにより簡単に自由に交換できる。
【図面の簡単な説明】
【図１】本発明の採風窓用サッシの構成を示す斜視図。
【図２】本発明の採風窓用サッシの平面並びにその正面図。
【図３】本発明の採風窓用サッシの側面図。
【図４】本発明の採風窓用サッシのＡ−Ａ断面図。
【図５】本発明の窓用サッシの全体組付け構成図。
【符号の説明】
１  窓枠
２  開き窓
３  採風窓サッシ
４ａ，４ｂ  上枠
５ａ，５ｂ  支持ホルダー
６ａ，６ｂ  隙間調整保持ホルダー
７ａ，７ｂ  覆い板
８ａ，８ｂ  分離板
９ａ，９ｂ，９ｃ  前風ガイド板
１０ａ，１０ｂ，１０ｃ  側風ガイド板（右）
１１ａ，１１ｂ，１１ｃ  側風ガイド板（左）
１２ａ−１，１２ｂ−１，１２ｃ−１  上風ガイド穴
１２ａ−２，１２ｂ−２，１２ｃ−２  下風ガイド穴
１３  設置隙間
１４  壁
【図１】
2004360433.tif 000003
【図２】
2004360433.tif 000004
【図３】
2004360433.tif 000005
【図４】
2004360433.tif 000006
【図５】
2004360433.tif 000007